(57)【要約】【課題】開封時に液状内容物が飛散することを防止する。【解決手段】細長い包装フィルムＦが筒状に回曲されて長さ方向に沿った側縁同士が溶着されることにより背貼り部１２を有する筒状体１１が形成され、この筒状体１１の内部に液状内容物Ｓが充填されるとともに、筒状体１１の長さ方向の両端部において包装フィルムＦ同士が溶着されることによりシール部１３，２０が形成されたスティック型包装袋１０であって、一方のシール部２０では、包装フィルムＦ同士が溶着されないことで構成される流出路２２が、幅方向の両側に包装フィルムＦ同士が溶着された溶着部２４を有する形態で長さ方向の端縁に向けて突出するように形成されているとともに、一方のシール部２０における幅方向の両側縁のうち少なくとも一側縁には、流出路２２の先端部２２Ａを指向して開封用のノッチ３０が形成されている。【選択図】図１
2015160617.tif 000002
【特許請求の範囲】
【請求項１】
細長い包装フィルムが筒状に回曲されて長さ方向に沿った側縁同士が溶着されることにより背貼り部を有する筒状体が形成され、この筒状体の内部に液状内容物が充填されるとともに、前記筒状体の長さ方向の両端部において包装フィルム同士が溶着されることによりシール部が形成されたスティック型包装袋であって、
一方の前記シール部では、包装フィルム同士が溶着されないことで構成される流出路が、幅方向の両側に包装フィルム同士が溶着された溶着部を有する形態で長さ方向の端縁に向けて突出するように形成されているとともに、
前記一方のシール部における幅方向の両側縁のうち少なくとも一側縁には、前記流出路の先端部を指向して開封用のノッチが形成されていることを特徴とするスティック型包装袋。
【請求項２】
前記流出路が、前記一方のシール部における幅方向の一側に寄った位置に形成されているとともに、前記ノッチが、前記一方のシール部における幅方向の他側の側縁に形成されていることを特徴とする請求項１記載のスティック型包装袋。
【請求項３】
前記一方のシール部は、基端側が全幅に亘る幅広部で、先端側が幅方向の一側が狭められた幅狭部となった段差状領域に形成されており、
前記流出路は、前記幅広部から前記幅狭部に所定寸法入った位置に亘って形成されているとともに、
前記ノッチが前記幅広部と前記幅狭部との間の段差部に形成されていることを特徴とする請求項１または請求項２記載のスティック型包装袋。
【請求項４】
前記流出路が先細りのテーパ状に形成されていることを特徴とする請求項１ないし請求項３のいずれか一項に記載のスティック型包装袋。
【発明の詳細な説明】
【技術分野】
【０００１】
本発明は、液状内容物を包装するスティック型包装袋に関する。
【背景技術】
【０００２】
従来、この種のスティック型包装袋の一例として、下記特許文献１に記載されたようなものが知られている。この包装袋１は、図１０に示すように、細長い包装フィルムが筒状に回曲されて長さ方向に沿った側縁同士が溶着されることにより背貼り部３を有する筒状体２が形成され、この筒状体２の内部に液状内容物が充填されるとともに、筒状体２の長さ方向の両端部で包装フィルム同士が溶着されることによりシール部４Ａ，４Ｂが形成されている。そして、長さ方向の一端側（上端側）では、基端側が全幅に亘る幅広部で、先端側が幅方向の一側（同図の左側）が狭められた幅狭部となった段差状領域がシール部４Ａとして設定されており、このシール部４Ａでは、包装フィルム同士が溶着されないことで構成される流出路５が、幅方向の略右半分の領域において、幅広部から幅狭部に所定寸法入った位置に亘って形成されているとともに、幅広部と幅狭部との間の段差部に、流出路５の先端部を指向して開封用のノッチ６が形成されている。
ここで、液状内容物が、サプリメントのように酸化を嫌うものでは、液中シールを講じることで、包装袋１内には残存空気が無くサプリメントのみが充填された形態を採る。
【０００３】
そして、上記のようなスティック型包装袋１からサプリメントを摂取する場合は、一方の手の指でシール部４Ａの先端を摘んでおいて、他方の手の指で流出路５の先端部をしごいてサプリメントを基端側に追いやるとともに、同指で流出路５の基端側を摘んで密着させ、その状態から、シール部４Ａの先端側をノッチ６から切り取って開封し、包装袋１を逆向きの姿勢にしつつ開封口からサプリメントを口中に向けて流し込むようになっている。
【先行技術文献】
【特許文献】
【０００４】
【特許文献１】意匠登録第１３６３１８１号公報
【発明の概要】
【発明が解決しようとする課題】
【０００５】
上記従来の包装袋１では、シール部４Ａの先端を切り取る（開封する）ことに先立って、流出路５を摘んで密着させようとした場合に、図１１に示すように、流出路５の一方の側縁（包装フィルムが折り重ねられた側の側縁）では、包装フィルムの剛性に基づく復元力により完全に潰し切れずにトンネル状の隙間ｘができ、サプリメントの一部が同隙間ｘから流出路５の先端部に戻るおそれがある。そのため、続いてシール部４Ａの先端を切り取った際に、流出路５の先端部に残っていたサプリメントが飛び散ったり、さらには内部のサプリメントが隙間ｘを通って洩れたりすることも懸念され、その防止策が切望されていた。
本発明は上記のような事情に基づいて完成されたものであって、その目的は、開封時に液状内容物が飛散することを防止するところにある。
【課題を解決するための手段】
【０００６】
本発明は、細長い包装フィルムが筒状に回曲されて長さ方向に沿った側縁同士が溶着されることにより背貼り部を有する筒状体が形成され、この筒状体の内部に液状内容物が充填されるとともに、前記筒状体の長さ方向の両端部において包装フィルム同士が溶着されることによりシール部が形成されたスティック型包装袋であって、一方の前記シール部では、包装フィルム同士が溶着されないことで構成される流出路が、幅方向の両側に包装フィルム同士が溶着された溶着部を有する形態で長さ方向の端縁に向けて突出するように形成されているとともに、前記一方のシール部における幅方向の両側縁のうち少なくとも一側縁には、前記流出路の先端部を指向して開封用のノッチが形成されているところに特徴を有する。
【０００７】
充填された液状内容物を摂取する場合は、一方の手の指で一方のシール部の先端を摘んでおいて、他方の手の指で流出路を摘んで密着させることにより液状内容物を内方に追いやり、引き続き、一方のシール部の先端側をノッチから切り取って開封し、包装袋を上下逆さの姿勢にしつつ開封口から液状内容物を口中に向けて流し込む。
ここで、一方のシール部の先端側を切り取って開封することに先立ち、流出路を摘んで密着させて液状内容物を内方に追いやるに際し、流出路が、幅方向の両側に包装フィルム同士が溶着された溶着部を有する形態で形成されているから、同流出路を押し潰すことに伴い、対向した包装フィルム同士が復元することなく密着した状態に維持される。そのため流出路の先端部に液状内容物が戻って残ることもない。したがって、一方のシール部の先端側を切り取った際に、切り取られた側のシール部から液状内容物が飛び散ったり、さらには流出路の開封口から液状内容物が洩れたりすることが防止される。
【０００８】
また、以下のような構成としてもよい。
（１）前記流出路が、前記一方のシール部における幅方向の一側に寄った位置に形成されているとともに、前記ノッチが、前記一方のシール部における幅方向の他側の側縁に形成されている。
筒状体の幅が比較的狭いものに有効である。
【０００９】
（２）前記一方のシール部は、基端側が全幅に亘る幅広部で、先端側が幅方向の一側が狭められた幅狭部となった段差状領域に形成されており、前記流出路は、前記幅広部から前記幅狭部に所定寸法入った位置に亘って形成されているとともに、前記ノッチが前記幅広部と前記幅狭部との間の段差部に形成されている。
ノッチを段差部に設けたことで開封時の切り取り長さが小さく抑えられ、ひいては開封動作がしやすくなる。
【００１０】
（３）前記流出路が先細りのテーパ状に形成されている。
開封口の幅が同じである場合において、流出路が一定幅の直線状のものと比較すると、摂取時において内部の液状内容物が抵抗を受けることなく大量に流出路に導かれ、引き続き開封口からスムーズに流出させることができる。
【発明の効果】
【００１１】
本発明によれば、開封時に液状内容物が飛散することを防止できる。
【図面の簡単な説明】
【００１２】
【図１】本発明の一実施形態に係るスティック型包装袋の正面図
【図２】同背面図
【図３】同側面図
【図４】同拡大平面図
【図５】図１のV−V線拡大断面図
【図６】図１のVI-VI線拡大断面図
【図７】スティック型包装袋の斜視図
【図８】開封動作を示す斜視図
【図９】開封動作時における図１のVI−VI線で切断した拡大断面図
【図１０】従来例のスティック型包装袋の正面図
【図１１】開封動作時における図１０のXI−XI線で切断した拡大断面図
【発明を実施するための形態】
【００１３】
＜実施形態＞
本発明の一実施形態を図１ないし図９に基づいて説明する。この実施形態では、内容物として液状のサプリメントＳを充填したスティック型包装袋１０（以下、単に包装袋１０）を例示している。包装袋１０を構成する包装フィルムＦとしては、アルミ蒸着フィルムが適用されている。アルミ蒸着フィルムは、遮光性、ガスバリア性等に優れている。
【００１４】
本実施形態の包装袋１０は、例えば縦型多列自動充填包装機により、液中シールの形態で製造される。
包装袋１０の概略構造は、図１ないし図４に示すように、細長い包装フィルムＦが筒状に回曲されて長さ方向に沿った側縁同士が合掌状に重ねられて溶着（縦シール）されることにより、背貼り部１２を有する筒状体１１が形成され、この筒状体１１の内部にサプリメントＳが充填されるとともに、筒状体１１の長さ方向の両端部において包装フィルムＦ同士が溶着（横シール）されて、後記するシール部１３，２０が形成されている。また、液中シールを講じることで、包装袋１０内には残存空気が無くサプリメントＳのみが充填された形態が採られる。
【００１５】
包装袋１０の構造をさらに詳細に説明する。包装袋１０は、長さ方向の一端側（図１の上側）が開封端１０Ａ、他端側（同図の下側）が閉鎖端１０Ｂとなっている。
閉鎖端１０Ｂでは、全幅に亘る低背の閉鎖側シール部１３が形成されている。この閉鎖側シール部１３は、内側の端縁が大きな曲率半径の円弧形をなしている。
【００１６】
一方、開封端１０Ａでは、全長の略３０％の長さ領域に亘り、基端側の略半分の領域が全幅に亘る幅広部１６で、先端側の残りの略半分の領域が、幅方向の一側（正面視で左側）が狭められた幅狭部１７となった段差状領域１５が設けられ（図２参照）、この段差状領域１５に開封側シール部２０が設定されている。
【００１７】
開封側シール部２０には、充填されたサプリメントＳを外部に流出させるための流出路２２が、対向した包装フィルムＦ同士が溶着されていない、すなわち非シール部の形態で構成されている。この流出路２２は、段差状領域１５における正面視で幅方向の右半分の領域において、幅広部１６から幅狭部１７に所定寸法入った位置に亘り、上方を向いて突出するように形成されている。
【００１８】
流出路２２は詳細には、頂角が２０度程度の山形に形成されている。開封側シール部２０における正面視で幅方向の左側の下縁は、幅方向の中央に向けて緩やかな上り勾配の傾斜縁２０Ａとなっており、流出路２２における左側縁２３Ｌの裾部が、傾斜縁２０Ａの上端に達している。一方、右側縁２３Ｒの裾部は、幅広部１６の右側縁における中央高さよりも少し下の位置に達している。
流出路２２の先端部２２Ａ（頂上部）は丸みが付されており、幅狭部１７内に、同幅狭部１７の全高の略２０％の寸法だけ入り込んでいる。
したがって、流出路２２における少なくとも右側縁２３Ｒの裾部よりも上方の領域では、同流出路２２の左右両側に、対向した包装フィルムＦ同士が溶着された溶着部２４が存在することになる。
【００１９】
開封側シール部２０における正面視で左側縁には、幅広部１６と幅狭部１７の境である段差部１８において、三角形状をなす開封用のノッチ３０が切り欠き形成されている。ノッチ３０は、流出路２２における上記の段差部１８と対応する位置を指向しており、同位置が流出路２２の開封口２５（図２参照）となっている。この開封口２５は、当該包装袋１０の全幅の略１／４の幅寸法を有している。
【００２０】
本実施形態の包装袋１０は上記した構造になり、充填されたサプリメントＳを摂取する場合は、以下のようにして行う。例えば、図８に示すように、包装袋１０を開封端１０Ａが上を向いた姿勢とし、右手の親指Ｒ１と人差し指Ｒ２で開封側シール部２０の先端を摘んでおいて、左手の親指Ｌ１と人差し指Ｌ２とで流出路２２の先端側を摘んで密着させたのち、同図に示すように、摘んだままノッチ３０の下側まで滑らせることで、サプリメントＳを内部に追いやる。その状態から、開封端１０Ａの先端側を紙面の手前側に捻ることにより、開封側シール部２０の先端側をノッチ３０から切り取って開封し、続いて、包装袋１０を上下逆さの姿勢にしつつ、流出路２２の開封口２５からサプリメントＳが口中に向けて流し込まれる。
【００２１】
上記のように、開封側シール部２０の先端側をノッチ３０から切り取る（開封する）ことに先立ち、流出路２２を摘んで密着させてサプリメントＳを内方に追いやるのであるが、本実施形態では、流出路２２が、幅方向の両側に包装フィルムＦ同士が溶着された溶着部２４を有する形態で形成されているから、流出路２２を押し潰すことに伴い、図９に示すように、対向した包装フィルムＦ同士が復元することなく密着した状態に維持される。そのため、流出路２２の先端部２２ＡにサプリメントＳが戻って残ることもない。
したがって、開封側シール部２０の先端側を切り取った際に、切り取られた開封側シール部２０からサプリメントＳが飛び散ったり、さらには流出路２２の開封口２５からサプリメントＳが洩れたりすることが防止される。
【００２２】
本実施形態では、流出路２２が先細りのテーパ状に形成されているから、開封口２５の幅が同じである場合において、流出路が一定幅の直線状のものと比較すると、摂取時において内部のサプリメントＳが抵抗を受けることなく大量に流出路２２に導かれ、引き続き開封口２５からスムーズに流出させることが可能となる。
開封側シール部２０が段差状領域１５に形成されて、その段差部１８に切断用のノッチ３０が切り欠き形成されているから、開封時の切り取り長さが小さく抑えられ、ひいては開封動作がしやすくなる。
【００２３】
＜他の実施形態＞
本発明は上記記述及び図面によって説明した実施形態に限定されるものではなく、例えば次のような実施形態も本発明の技術的範囲に含まれる。
（１）包装袋に充填される液状内容物としては、上記実施形態に例示したサプリメントに限らず、液状の飲食物や薬液等、他の液状内容物全般が適用可能である。
（２）上記実施形態では、液中シールにより包装袋内に残存空気が無くサプリメント（液状内容物）のみが充填された形態のものを例示したが、空気が混入されたものでも粘度が比較的高い液状内容物等では、流出路に液状内容物が残って開封時に飛び散りが生ずる可能性があるため、そのような形態の包装袋にも本発明は有効に適用できる。
【００２４】
（３）上記実施形態では、流出路を先細りのテーパ状をなす形状とした場合を例示したが、液状内容物の粘度等の特性や、開封側シール部の形状等の条件に応じ、頂角の数値を変える等、適宜に形状変更可能である。また、流出路は、全長に亘って一定幅の直線状のものでもよく、そのようなものにも本発明は適用可能である。
（４）開封端の段差状領域における幅広部と幅狭部との幅の比率については、任意に設定できる。また、開封端が段差の無い一定幅のものにも、本発明は適用可能である。
【００２５】
（５）流出路は、一方のシール部における幅方向の一側に寄った位置に限らず、幅中央部に形成されていてもよく、そのようなものも本発明の技術的範囲に含まれる。この場合、開封用のノッチは、一方のシール部における幅方向の両側縁のうち少なくとも一側縁に設ければよい。
（６）開封用のノッチの形状は、単なる線状等、任意に設定できる。
（７）包装袋を構成するフィルムとしては、上記実施形態に例示したアルミ蒸着フィルムに限らず、合成樹脂製のラミネートフィルムを採用してもよい。
【符号の説明】
【００２６】
Ｆ…包装フィルム
Ｓ…サプリメント（液状内容物）
１０…スティック型包装袋
１０Ａ…開封端
１０Ｂ…閉鎖端
１１…筒状体
１２…背貼り部
１３…閉鎖側シール部
１５…段差状領域
１６…幅広部
１７…幅狭部
１８…段差部
２０…開封側シール部（一方のシール部）
２２…流出路
２２Ａ…（流出路２２の）先端部
２４…溶着部
３０…ノッチ
【図１】
2015160617.tif 000003
【図２】
2015160617.tif 000004
【図３】
2015160617.tif 000005
【図４】
2015160617.tif 000006
【図５】
2015160617.tif 000007
【図６】
2015160617.tif 000008
【図７】
2015160617.tif 000009
【図８】
2015160617.tif 000010
【図９】
2015160617.tif 000011
【図１０】
2015160617.tif 000012
【図１１】
2015160617.tif 000013